(57)【要約】      （修正有）【課題】シンプルな構成で、ピボット軸の下方への退避・上方への突出、扉体の脱落の防止を行う。【解決手段】扉体の上端面から突出するピボット軸４は、扉体に設けられたブラケット５に上下動可能に支持されており、ピボット軸４は、ピボット軸４の周縁部４０とブラケット５の下板５１との間に設けたバネ６によって扉体の上端面から突出した上動位置となり、扉体の戸尻側端面には、上動位置にあるピボット軸４の周縁部４０に対応して開口が形成され、周縁部４０を下方に移動させることで、ピボット軸４が軸受から脱し、ブラケット５の側板５２には、螺子孔５２３を備えた取付片５２２が形成されており、螺子孔５２３に螺合させた螺子の軸部を周縁部４０の下に位置させることで、ピボット軸４の下動を規制する。【選択図】図６
2014025214.tif 000002
【特許請求の範囲】
【請求項１】
扉体の上端面の戸尻側部位から上方に突出するピボット軸と、ドア枠の上枠に形成された軸受と、からなるピボットヒンジを備えたドア装置において、
前記ピボット軸は、上板と、下板と、上板と下板とを連結する側板と、からなり、扉体の戸尻側上方部位に設けられたブラケットに上下動可能に支持されており、
前記ピボット軸の周面には、扉体の上端面より下方に位置して周縁部が延出形成されており、
前記ピボット軸は、前記周縁部と前記下板との間に設けたバネによって扉体の上端面から上方に突出した上動位置を保持することで前記軸受に受け入れられており、
前記扉体の戸尻側端面の上方部位には、上動位置にあるピボット軸の周縁部に対応して開口が形成されており、前記バネを圧縮するように前記周縁部を下方に移動させることで、前記ピボット軸が下動して前記ピボット軸が前記軸受から脱する下動位置を取るようになっており、
前記側板には、螺子孔を備えた取付片がピボット軸に対向するように形成されており、前記螺子孔に螺合させた螺子の軸部を前記周縁部の直ぐ下に位置させることで、前記ピボット軸が下動位置となることを規制しており、
前記扉体の前記戸尻側端面において、前記開口が形成された部位は、扉体が閉鎖姿勢にある時には、ドア枠の戸尻側縦枠内に隠れており、扉体が開放姿勢となると、前記戸尻側縦枠から出て建物開口部に面するようになっている、
ドア装置。
【請求項２】
前記戸尻側端面の上方部位には、前記開口を塞ぐようにキャップが着脱可能に取り付けられている、請求項１に記載のドア装置。
【請求項３】
前記キャップは、面部と、面部の裏面側に設けた係止突起と、を備え、前記開口に着脱可能に係合する、請求項２に記載のドア装置。
【請求項４】
前記螺子は、前記キャップの取付用螺子を兼用している、請求項２に記載のドア装置。
【請求項５】
前記扉体の戸尻側端面は、扉体面部に対して直角状の第１面と、第１面に対して傾斜する第２面と、からなり、前記第２面は、扉体が開放姿勢にある時に建物開口部に面するようになっており、前記開口は、前記第２面に形成されている、請求項１〜４いずれか１項に記載のドア装置。
【発明の詳細な説明】
【技術分野】
【０００１】
本発明は、ピボットヒンジを用いてドア枠に回動可能に取り付けられた開き戸からなるドア装置に関するものである。
【背景技術】
【０００２】
ピボット軸を備えた扉体をドア枠に吊り込む時には、扉体の上端面の戸尻側部位から突出するピボット軸を下方に退避させた状態で、ピボット軸をドア枠側の軸受の直下に位置させ、下方に退避させたピボット軸を再び上方へ突出させて軸受に係止させる必要がある。従来は、螺子等を回転させることで、ピボット軸の下方への退避・上方への突出を行うものが多く、吊り込み作業に手間がかかっていた。
【０００３】
上下動可能なピボット軸を備えた扉体の場合、扉体を吊り込んだ後の通常の使用状態において、何らかの力が作用することでピボット軸が下動して軸受から外れることによる扉体の脱落を防止する必要がある。特許文献１のものでは、レバーを回動させることで、ピボット軸の下方への退避・上方への突出、及び、扉体の脱落の防止を行っているが、構成要素が多く、機構が複雑となっている。
【特許文献１】特開２００８−２４８４９５
【発明の開示】
【発明が解決しようとする課題】
【０００４】
本発明は、シンプルな構成でありながら、ピボット軸の下方への退避・上方への突出、及び、扉体の脱落の防止を行うことができるドア構造を提供することを目的とする。
【課題を解決するための手段】
【０００５】
本発明が採用した技術手段は、
扉体の上端面の戸尻側部位から上方に突出するピボット軸と、ドア枠の上枠に形成された軸受と、からなるピボットヒンジを備えたドア装置において、
前記ピボット軸は、上板と、下板と、上板と下板とを連結する側板と、からなり、扉体の戸尻側上方部位に設けられたブラケットに上下動可能に支持されており、
前記ピボット軸の周面には、扉体の上端面より下方に位置して周縁部が延出形成されており、
前記ピボット軸は、前記周縁部と前記下板との間に設けたバネによって扉体の上端面から上方に突出した上動位置を保持することで前記軸受に受け入れられており、
前記扉体の戸尻側端面の上方部位には、上動位置にあるピボット軸の周縁部に対応して開口が形成されており、前記バネを圧縮するように前記周縁部を下方に移動させることで、前記ピボット軸が下動して前記ピボット軸が前記軸受から脱する下動位置を取るようになっており、
前記側板には、螺子孔を備えた取付片がピボット軸に対向するように形成されており、前記螺子孔に螺合させた螺子の軸部を前記周縁部の直ぐ下に位置させることで、前記ピボット軸が下動位置となることを規制しており、
前記扉体の前記戸尻側端面において、前記開口が形成された部位は、扉体が閉鎖姿勢にある時には、ドア枠の戸尻側縦枠内に隠れており、扉体が開放姿勢となると、前記戸尻側縦枠から出て建物開口部に面するようになっている、ドア装置、である。
１つの態様では、前記戸尻側端面の上方部位には、前記開口を塞ぐようにキャップが着脱可能に取り付けられている。
【０００６】
１つの態様では、前記扉体の戸尻側端面は、扉体面部に対して直角状の第１面と、第１面に対して傾斜する第２面と、からなり、前記第２面は、扉体が開放姿勢にある時に建物開口部に面するようになっており、前記開口は、前記第２面に形成されている。
【０００７】
１つの態様では、前記キャップは、面部と、面部の裏面側に設けた係止突起と、を備え、前記開口に着脱可能に係合する。このものでは、キャップの装着に螺子等を用いないので美観上も良好である。
【０００８】
１つの態様では、前記螺子は、前記キャップの取付用螺子を兼用している。より具体的な態様では、キャップには螺子孔が形成されており、キャップを開口にあてがった状態で、キャップの螺子孔と取付片の螺子孔とが一致しており、螺子を締めることで、キャップが取付片に固着され、同時に、螺子の軸部が前記周縁部の直ぐ下まで前進することになる。
【発明の効果】
【０００９】
本発明では、ピボット軸は常にバネの力で扉体の上端面から突出しており、扉体の吊り込み時に、突出するピボット軸を手で下方に押し込みながら、あるいは、戸尻側端面に形成した開口に工具等を差し込んでピボット軸の周縁部を下方に押し込みながら扉体をドア枠に取り付ければよく、扉体の吊り込み作業が簡単である。
【００１０】
取付片に装着した螺子の軸部をピボット軸の周縁部の直ぐ下に位置させることによって、ピボット軸の下方への移動を規制し、もって、扉体の脱落を防止することができる。また、戸尻側端面に形成した開口をキャップによって塞ぐものでは、ピボット軸、周縁部、バネ等の構成要素が外部に露出することがなく、意匠上良好である。
【００１１】
扉体の戸尻側端面が、扉体面部に対して直角状の第１面と、第１面に対して傾斜する第２面と、からなり、前記第２面は、扉体の開放状態で建物開口部に面するようになっており、前記開口は、前記第２面に形成されているものでは、開口への工具等の挿入、開口に対するキャップの脱着の作業性が良好である。
【００１２】
ピボット軸の下動規制用の螺子を、開口を塞ぐためのキャップの取付螺子に兼用することで、当該螺子の締め忘れが視認で確認できるため、締め忘れを防止することができる。
【図面の簡単な説明】
【００１３】
【図１】室外側から見たドア装置の正面図である。
【図２】図１のドア装置の戸尻側の上方部位、下方部位の部分拡大図である。
【図３】扉体が閉鎖姿勢にあるドア装置の横断面図である。
【図４】扉体が開放姿勢にあるドア装置の部分横断面図である。
【図５】扉体が閉鎖姿勢にあるドア装置の部分縦断面図である。
【図６】ピボット軸アセンブリを示す図である。
【図７】第１の実施形態に係るキャップを備えた扉体の戸尻側部位を示す図であり、左図は開口が開放された状態、右図は開口をキャップで塞いだ状態を示している。
【図８】第１の実施形態に係るキャップを示す図である。
【図９】第２の実施形態に係るキャップを備えた扉体の戸尻側部位を示す図であり、左図は開口が開放された状態、右図は開口をキャップで塞いだ状態を示している。
【図１０】第２の実施形態に係るキャップを示す図である。
【発明を実施するための形態】
【００１４】
図１〜図５に示すように、ドア装置は開き戸であって、ドア枠１と、ドア枠１に対して回動可能に取り付けられた扉体２とからなる。ドア装置のドア枠１は、戸先側縦枠１０、戸尻側縦枠１１、上枠１２、下枠１３から構成されており、ドア枠１によって建物開口部が形成されている。扉体２は、室外側面部２０、室内側面部２１、戸先側端面２２、戸尻側端面２３、上端面２４、下端面２５、を備えている。扉体２の上方部位にはドアクローザ２００が設けてあり、開放した扉体２はドアクローザ２００によって自動的に閉鎖する。
【００１５】
戸先側端面２２の室外側端部には、高さ方向に亘って、戸先側端面２２から突出するように延出片２２０が形成されている。扉体２の閉鎖状態では、延出片２２０の先端側は、戸先側縦枠１０の室外側見付面に対向するようになっている。図７、図９に示すように、扉体２の戸尻側端面２３は、室外側面部２０、室内側面部２１に対して直角状の第１面２３Ａと、第１面２３Ａに対して室内側面部２１側に位置し、第１面２３Ａから室内側面部２１に対して戸先側に向かって傾斜状に延びる第２面２３Ｂと、からなる。
【００１６】
戸尻側縦枠１１は、平面視において室内外方向に延びる見込片１１０と、見込片１１０の室内側部位から建物開口部に向かって突出する室内側見付片１１１と、見込片１１０の室外側部位から建物開口部に向かって突出する室外側見付片１１２と、を備えている。扉体２が閉鎖姿勢にある時には、見込片１１０は、扉体２の戸尻側端面２３に対して離間対向すると共に、扉体２の室内側面部２１を越えて延びている。室内側見付片１１１は、扉体２の室内側面部２１の戸尻側部位に対して離間対向して延びており、室内側見付片１１１の先端には、室外側に向かって突出すると共に扉体２の高さ方向に延びる気密材１１Ａが装着されている。室外側見付片１１２は、見込片１１０から扉体２の戸尻側端面２３に向かって突出している。図３に示すように、扉体２が閉鎖姿勢にある時には、戸尻側縦枠１１に装着した高さ方向に延びる気密材１１Ａが扉体２の室内側面部２１の戸尻側端部に接触しており、室内側見付片１１１と扉体２の室内側面部２１の戸尻側部位との間の隙間を塞いでいる。図４に示すように、扉体２が開放姿勢にある時には、戸尻側縦枠１１に装着した高さ方向に延びる気密材が扉体２の戸尻側端面２３の第１面２３Ａに接触ないし近接しており、戸尻側端面２３の第２面２３Ｂは建物開口部に面している。
【００１７】
扉体２は、上部ピボットヒンジ３Ａ、下部ピボットヒンジ３Ｂによって、ドア枠１に対して回動可能となっている。上部ピボットヒンジ３Ａは、扉体２側のピボット軸４と、上枠１２側の軸受１２０と、を備えており、ピボット軸４が軸受１２０に受け入れられることで、扉体２の上端面２４の戸尻側部位はドア枠１の上枠１２に回動可能に取り付けられている。下部ピボットヒンジ３Ｂは、扉体２側の軸受２５１と、下枠１３側のピボット軸１３１と、を備えており、ピボット軸１３１が軸受２５１に受け入れられることで、扉体２の下端面２５の戸尻側部位はドア枠１の下枠１３に回動可能に取り付けられている。
【００１８】
図６に示すように、ピボット軸４は垂直状に延びており、ブラケット５に上下動可能に支持されている。ブラケット５は、水平状の上板５０と、水平状の下板５１と、上板５０と下板５１とを一体的に連結する垂直状の側板５２と、を備えている。上板５０には、ピボット軸４の上端側を挿通させる挿通孔が形成されており、下板５１には、ピボット軸４の下端側を挿通させる挿通孔が形成されており、ピボット軸４は、上下端部がそれぞれ上板５０、下板５１に挿通された状態で、上板５０と下板５１間で垂直姿勢に支持されている。上板５０の下面には、上板５０の挿通孔に位置する挿通孔が形成された補強板５０Ａが螺子で固着されている。
【００１９】
ピボット軸４は、垂直状に延びる円柱体であり、常時扉体２の上端面２４よりも下方に位置する部位、図示の態様では高さ方向の略中間位置には、ピボット軸４の周面から水平状に延出する周縁部４０が形成されている。図示の態様では、周縁部４０はピボット軸４の周面全体から放射状に延出する円板状であるが、周縁部４０の形状は円板状に限定されるものではなく、例えば、四角形等の多角形状であってもよい。１つの態様では、周縁部４０は、プッシュナットから形成されるが、周縁部とピボット軸４の円柱体とを一体形成してもよい。
【００２０】
ピボット軸４の下端近傍には止め輪（１つの態様では、Ｅリングから形成される）４１が固定されており、止め輪４１が下板５１の下面に当接することで、その位置より上方への軸４の上動が規制されている。すなわち、ピボット軸４に固定された止め輪４１が下板５１の下面に当接した状態が、ピボット軸４の上動位置であり、ピボット軸４が上動位置にある時には、ピボット軸４の上端側は上板５０から突出している。
【００２１】
ブラケット５の上板５０、下板５１間に支持されたピボット軸４の下半部には、周縁部４０と下板５１との間に位置してバネ６が外装されている。バネ６のスプリング力が周縁部４０を常時上方に付勢することで、ピボット軸４は外力が作用しない自然状態で常時上動位置を維持するようになっている。上枠１２の戸尻側の下面に固定されたプレート１２１には、軸受１２０が設けてあり、ピボット軸４が上動位置にある時には、ピボット軸４の上端部位が上枠１２の軸受１２０内に突出して受け入れられている。
【００２２】
ピボット軸４が上動位置にある時に、バネ６を圧縮するように周縁部４０を下方に移動させると、ピボット軸４は下方に移動して、ピボット軸４の上端部位が上枠１２の軸受１２０から脱して下動位置となる。下動位置にあるピボット軸４の下端部位が、図２上図に点線で示してある。
【００２３】
側板５２は縦長方形状であり、垂直状に延びる第１の側縁５２０と第２の側縁５２１とを備えており、第２の側縁５２１には、高さ方向の略中央部位に位置して、取付片５２２が延出形成されている。延出片５２２は、垂直状に延びる板状片であると共に、平面視において、側板５２に対して傾斜状に延出している。取付片５２２は、周縁部４０よりも下方の高さ位置で、ピボット軸４に対向している。
【００２４】
取付片５２２には螺子孔５２３が形成されており、螺子７を螺子孔５２３に螺入させると、螺子７の軸部の先端側が前進して周縁部４０の下方に位置することになる。この状態において、バネ６を圧縮するように周縁部４０を下方に移動させる力が作用したとしても、周縁部４０が当該周縁部４０の下方に位置する螺子７の軸部の先端側に当接することで、それ以上の下動が規制され、ピボット軸４の上端側が上枠１２の軸受１２０から脱して外れるようなことがない。すなわち、螺子７はピボット軸４の下動規制用螺子である。
【００２５】
ピボット軸４と、ブラケット５と、ばね６とから、いわゆるピボット軸アセンブリが構成されており、ピボット軸アセンブリは、ブラケット５を介して扉体２に装着されている。より具体的には、ブラケット５の上板５０は、扉体２の上端面２４の戸尻側部位に当接させてなり、上板５０を扉体２の上端面２４に設けた固定プレートに対して螺子で固定されている。ブラケット５の側板５２は、扉体２の戸尻側端面２３の第１面２３Ａの上方部位に内側から当接させてなり、螺子で固定されている。ブラケット５の側板５２の取付片５２２は、第２面２３Ｂの内側において、当該第２面２３Ｂに沿って延びている。図６に示すように、ブラケット５の上板５０は第２面２３Ｂに対応する傾斜縁を備えており、上板５０の平面形状は、扉体２の戸尻側の平面形状に対応するような形状となっている。
【００２６】
図７、図９に示すように、第２面２３Ｂの上方部位には、ピボット軸アセンブリのピボット軸４の周縁部４０を含む部位から下方に亘る部位、及び当該部位に外装されたバネ６、取付片５２２に対応して、縦長の開口２３０が形成されている。第２面２３Ｂには、開口２３０を塞ぐようにキャップ８（図７、図８）、キャップ９（図９、図１０）が着脱可能に取り付けられる。開口２３０は、ピボット軸４を操作するための開口であって、高さ寸法Ｈ、幅寸法Ｗを備えており、高さ寸法Ｈは、周縁部４０を押し下げることで、ピボット軸４が上動位置から下動位置まで下動できるような寸法であり、幅寸法Ｗは、工具等が挿入できる寸法となっている。また、図７左図、図９左図から明らかなように、開口２３０の幅方向において、ピボット軸４、バネ６、取付片５２２は一側に偏倚しており、取付片５２２が周縁部４０の押し下げ動作を妨げることがないようになっている。
【００２７】
図３に示すように、扉体２の戸尻側端面２３において、開口２３０が形成された部位（第２面２３Ｂ）は、扉体２が閉鎖姿勢にある時には、ドア枠の戸尻側縦枠１１内に隠れている（見込片１１０、室内側見付片１１１、気密材１１Ａで囲まれた空間に面している）。扉体２は閉鎖姿勢にある時間が殆どであると考えられ、仮にキャップ８、９を設けずに開口２３０が露出した状態であったとしても、多くの場合、開口２３０は戸尻側縦枠１１内に隠蔽された状態にある。図４に示すように、扉体２が開放姿勢（少なくとも閉鎖姿勢から９０度回動した姿勢）となると、開口２３０が形成された部位（第２面２３Ｂ）は、戸尻側縦枠１１内から出て建物開口部に面するようになっている。
【００２８】
図７、図８に示すように、第１の実施形態では、キャップ８は、平板状の面部８０と、面部８０の裏面において周縁に近い側に突成された係合片８１と、を備え、キャップ８は、係合片８１を開口２３０の周縁部の裏面側に係合させることで、第２面２３Ｂに着脱可能に取り付けられる。
【００２９】
図９、図１０に示すように、第２の実施形態では、キャップ９は、周縁部９０と、中央の凹部９１、とを備え、凹部９１の底面には螺子孔９２が形成されている。周縁部９０を第２面２３Ｂの開口２３０の周縁に当接させた状態で、凹部９１の底面は取付片５２２に当接ないし近接しており、螺子７を螺子孔９２及び螺子孔５２３に螺合させることで、キャップ９は第２面２３Ｂに着脱可能に取り付けられる。螺子７は、ピボット軸４の下動規制用螺子とキャップ９の取付用螺子を兼用している。
【００３０】
図２下図を参照しながら、下部ピボットヒンジ３Ｂについて説明する。扉体２の下端面２５の戸尻側に固定されたＬ形状の固定プレート２５０の水平片には、軸受２５１が形成されている。一方、ドア枠１の下枠１３の上面に固定されたプレート１３０には、ピボット軸１３１が上方に向かって突成されており、軸受２５１にピボット軸１３１が受け入れられている。固定プレート２５０の垂直片は、扉体２の戸尻側端面２３の第１面２３Ａの下方部位に内側から当接して螺子で固定されており、固定プレート２５０の水平片は、扉体２の下端面２５に固定されたプレート２５２に対して螺子で固定されている。
【００３１】
叙上のように構成されたドア装置において、扉体２をドア枠１に取り付ける時には、キャップ８ないし９を外した状態で開口２３０が開放状の扉体２を、扉体２の上端面２４から上方に突出したピボット軸４を手で下方に押し下げた状態で（開口２３０から差し込んだ工具等で周縁部４０を下方に押し下げてもよい）、下端面２５の戸尻側の軸受２５１に、下枠１３のピボット軸１３１を差し込むように吊り込み、上枠１２の軸受１２０の直下にピボット軸４を位置させて、ピボット軸４の押し下げを解除することで、バネ６の力によってピボット軸４を上方に突出させて軸受１２０に係止させる。
【００３２】
扉体２をドア枠１に取り付けた状態で、螺子７を締めて螺子７の軸部を前進させて、螺子７の軸部を周縁部４０の真下に位置させることで、周縁部４０の下方への移動が規制される。そして、キャップ８を開口２３０の周縁に係合させて開口２３０を塞ぐ。キャップ８によって開口２３０を塞ぐことで、ピボット軸アセンブリの要素が外部に露出することがなく、意匠的に優れる。
【００３３】
キャップ９を用いる場合には、キャップ９を開口２３０にあてがった状態で、キャップ９の凹部９１の螺子孔９２と取付片５２２の螺子孔５２３が一致しており、螺子７によってキャップ９を取付片５２２に固定すると同時に、螺子７の軸部が前進して、螺子７の軸部が周縁部４０の真下に位置することになって、周縁部４０の下方への移動が規制される。このものでは、キャップ９の取付用螺子がピボット軸の下動規制用螺子を兼用するので、螺子７の締め忘れを防止することができる。
【００３４】
扉体２を取り外す時には、扉体２を開放姿勢（図４参照）として、扉体２の戸尻側端面２３の第２面２３Ｂが建物開口部に面するようにし、キャップ８を取り外して、開口２３０を開放し、螺子７を軸部が後退するように緩めて、軸部が周縁部４０の下方の位置から退避させ、開口２３０に工具等を挿入して周縁部４０を押し下げることで、ピボット軸４を軸受１２０から離脱させる。そして、扉体２の下側のピボットヒンジ構造を離脱させることで扉体２をドア枠１から取り外すことができる。
【００３５】
キャップ９を用いる場合には、螺子７を軸部が後退するように緩めてキャップ９を取付片５２２から離脱させることで、同時に軸部が周縁部４０の下方の位置から退避する。開口２３０に工具等を挿入して周縁部４０を押し下げることで、ピボット軸４を軸受１２０から離脱させる。そして、扉体２の下側のピボットヒンジ構造を離脱させることで扉体２をドア枠１から取り外すことができる。
【符号の説明】
【００３６】
１  ドア枠
１１  戸尻側縦枠
１２  上枠
１２０  軸受
２  扉体
２３  戸尻側端面
２４  上端面
４  ピボット軸
４０  周縁部
５  ブラケット
５０  上板
５１  下板
５２  側板
５２２  取付片
５２３  螺子孔
７  螺子
８  キャップ
９  キャップ
【図１】
2014025214.tif 000003
【図２】
2014025214.tif 000004
【図３】
2014025214.tif 000005
【図４】
2014025214.tif 000006
【図５】
2014025214.tif 000007
【図６】
2014025214.tif 000008
【図７】
2014025214.tif 000009
【図８】
2014025214.tif 000010
【図９】
2014025214.tif 000011
【図１０】
2014025214.tif 000012